(57)【要約】【課題】既存の通信インフラを利用してクレジットによる遊技媒体の貸与を可能にすると共に、遊技場とクレジットカード会社との間における運用を簡素化できる遊技用システムを提供する。【解決手段】集中管理端末４０においてクレジット使用可否情報が入手されると（Ｓ１）、場内端末３０において該入手されたクレジット使用可否情報が会員ＩＤと対応付けて登録される（Ｓ３）。カードユニット２０において会員カードが受け付けられて（Ｓ１１）クレジット玉貸ボタンが操作される（Ｓ１７）と、場内端末においてクレジットによる玉貸を許容するか否かが特定されて（Ｓ１９）、場内端末からカードユニットに対してクレジットによる玉貸を許容するか否かを示す情報が送信され（Ｓ２０）、カードユニットにおいてクレジットによる玉貸を許容する旨の情報を受信したならば該情報に基づいて貸与処理が行われる（Ｓ２１）。【選択図】        図５
2004321425.tif 000002
【特許請求の範囲】
【請求項１】
予め登録された登録遊技場に設けられ、遊技に使用可能な遊技媒体を貸与するための貸与処理を行う遊技媒体貸与処理装置と、
前記登録遊技場に設けられ、前記遊技媒体貸与処理装置と通信可能な場内端末と、
会員登録を行った会員遊技者を特定可能な会員遊技者特定情報が記録された会員遊技者特定記録媒体を発行するための処理を行う会員遊技者特定記録媒体管理機関に設けられ、前記場内端末と通信可能な集中管理端末と、
からなる遊技用システムであって、
前記集中管理端末は、クレジットカードの使用の可否を示すクレジット使用可否情報の管理及び提供を行うクレジット使用可否情報管理端末を備えるクレジットカード会社と通信可能であり、
各会員遊技者が所有しているクレジットカードを識別可能なクレジットカード識別情報を各会員遊技者特定情報と対応付けて前記登録遊技場毎に登録する会員情報登録手段と、
該会員情報登録手段に登録される会員遊技者特定情報から特定される各会員遊技者のクレジット使用可否情報を前記クレジット使用可否情報管理端末より入手するクレジット使用可否情報入手手段と、
該クレジット使用可否情報入手手段により入手した各会員遊技者のクレジット使用可否情報を該当する登録遊技場の場内端末に対して送信するクレジット使用可否情報送信手段と、を備え、
前記場内端末は、前記クレジット使用可否情報送信手段から送信されてきたクレジット使用可否情報を各会員遊技者特定情報と対応付けて登録するクレジット使用可否情報登録手段を備え、
前記遊技媒体貸与処理装置は、前記会員遊技者特定記録媒体を受け付けている状態において、クレジットによる遊技媒体の貸与要求があった場合に、該会員遊技者特定記録媒体に記録されている会員遊技者特定情報を含むクレジット貸与要求情報を前記場内端末に対して送信し、
前記場内端末は、該クレジット貸与要求情報の受信に応じて、該クレジット貸与要求情報に含まれる会員遊技者特定情報と対応付けて登録されているクレジット使用可否情報に基づいてクレジットによる遊技媒体の貸与を許容するか否かを特定すると共に、該特定結果に基づいて前記貸与を許容するか否かを示す情報を前記遊技媒体貸与処理装置に対して送信し、
前記遊技媒体貸与処理装置は、該貸与を許容する旨の情報の受信に応じて、前記貸与処理を行うと共に、該貸与処理により使用された使用額を示す使用額情報を前記場内端末に対して送信し、
前記場内端末は、該使用額情報の受信に応じて、該使用額情報を各会員遊技者毎に管理すると共に、該使用額情報を前記集中管理端末に対して送信し、
前記集中管理端末は、該使用額情報を前記クレジットカード会社に対して送信することを特徴とする遊技用システム。
【請求項２】
請求項１に記載した遊技用システムであって、
前記場内端末は、前記クレジットカードの使用可能額を各会員遊技者毎に管理し、前記使用額が該使用可能額に達した場合に、前記貸与を許容しない旨の情報を前記遊技媒体貸与処理装置に対して送信し、
前記遊技媒体貸与処理装置は、該貸与を許容しない旨の情報を受信した場合には前記貸与処理を行わないことを特徴とする遊技用システム。
【請求項３】
請求項２に記載した遊技用システムであって、
前記遊技媒体貸与処理装置は、前記貸与処理を行わない場合にその旨を報知するクレジット貸与不可報知手段を備えることを特徴とする遊技用システム。
【請求項４】
請求項２又は３に記載した遊技用システムであって、
前記場内端末は、前記使用可能額に対する残額を示す残額情報を前記遊技媒体貸与処理装置に対して送信し、
前記遊技媒体貸与処理装置は、該残額情報に基づいて前記残額を報知する残額報知手段を備えることを特徴とする遊技用システム。
【請求項５】
請求項１〜４のいずれか１つに記載した遊技用システムであって、
前記クレジット使用可否情報入手手段は、少なくとも１日１回は各会員遊技者のクレジット使用可否情報を前記クレジット使用可否情報管理端末より入手し、前記クレジット使用可否情報登録手段は、該クレジット使用可否情報入手手段により入手した各会員遊技者のクレジット使用可否情報に基づいて、登録されている各会員遊技者のクレジット使用可否情報を更新することを特徴とする遊技用システム。
【請求項６】
請求項１〜５のいずれか１つに記載した遊技用システムであって、
前記遊技媒体貸与処理装置は、前記クレジットによる遊技媒体の貸与要求を受け付けるためのクレジット貸与要求操作手段と、前記クレジットによらない遊技媒体の貸与要求を受け付けるための通常貸与要求操作手段と、を備えることを特徴とする遊技用システム。
【発明の詳細な説明】
【０００１】
【発明の属する技術分野】
本発明は、遊技場において、遊技に使用可能な遊技媒体（例えばパチンコ玉）を貸与するための遊技用システムに係り、さらに詳しくは、クレジット（信用）による遊技媒体の貸与が可能な遊技用システムに関する。
【０００２】
【従来の技術】
従来より、前記クレジットによる遊技媒体の貸与が可能なシステムとしては、特許文献１に示すように、クレジットカード会社から発行されたプレ与信カードを使用して遊技媒体の貸与を行うものや、特許文献２に示すように、クレジットカード会社から発行されたクレジットカードを使用して遊技媒体の貸与を行うものが知られている。
【０００３】
これら従来のシステムでは、プレ与信カードやクレジットカードが遊技場において受け付けられると、それらカードの使用の可否の問い合わせが該遊技場からクレジットカード会社に対して行われ、該問い合わせの結果として、それらカードの使用が可能である場合に、それらカードを使用した遊技媒体の貸与が行われる。
【０００４】
【特許文献１】
特開平４−２２０２７９号公報（第２頁，図１）
【特許文献２】
特開２００１−３１００７６号公報（第２頁，図２）
【０００５】
【発明が解決しようとする課題】
しかしながら、前記従来のシステムでは、プレ与信カードやクレジットカードを使用した遊技媒体の貸与を行うにあたり、それらカードの使用の可否の問い合わせを該遊技場からクレジットカード会社に対して毎回行わなければならないため、各遊技場と各クレジットカード会社との通信を可能とする通信用インフラストラクチャー（以下単に「通信インフラ」という。）を導入する必要があり、導入コストが高くなると共に、遊技場とクレジットカード会社との間における運用が複雑になるという問題がある。
【０００６】
本発明は、このような背景のもとになされたものであり、その目的は、既存の通信インフラを利用してクレジットによる遊技媒体の貸与を可能にすると共に、遊技場とクレジットカード会社との間における運用を簡素化できる遊技用システムを提供することにある。
【０００７】
【課題を解決するための手段】
本発明は、前記課題を解決するために、次のような手段を採る。
【０００８】
まず請求項１に係る発明は、予め登録された登録遊技場に設けられ、遊技に使用可能な遊技媒体を貸与するための貸与処理を行う遊技媒体貸与処理装置と、前記登録遊技場に設けられ、前記遊技媒体貸与処理装置と通信可能な場内端末と、会員登録を行った会員遊技者を特定可能な会員遊技者特定情報が記録された会員遊技者特定記録媒体を発行するための処理を行う会員遊技者特定記録媒体管理機関に設けられ、前記場内端末と通信可能な集中管理端末と、からなる遊技用システムであって、前記集中管理端末は、クレジットカードの使用の可否を示すクレジット使用可否情報の管理及び提供を行うクレジット使用可否情報管理端末を備えるクレジットカード会社と通信可能であり、各会員遊技者が所有しているクレジットカードを識別可能なクレジットカード識別情報を各会員遊技者特定情報と対応付けて前記登録遊技場毎に登録する会員情報登録手段と、該会員情報登録手段に登録される会員遊技者特定情報から特定される各会員遊技者のクレジット使用可否情報を前記クレジット使用可否情報管理端末より入手するクレジット使用可否情報入手手段と、該クレジット使用可否情報入手手段により入手した各会員遊技者のクレジット使用可否情報を該当する登録遊技場の場内端末に対して送信するクレジット使用可否情報送信手段と、を備え、前記場内端末は、前記クレジット使用可否情報送信手段から送信されてきたクレジット使用可否情報を各会員遊技者特定情報と対応付けて登録するクレジット使用可否情報登録手段を備え、前記遊技媒体貸与処理装置は、前記会員遊技者特定記録媒体を受け付けている状態において、クレジットによる遊技媒体の貸与要求があった場合に、該会員遊技者特定記録媒体に記録されている会員遊技者特定情報を含むクレジット貸与要求情報を前記場内端末に対して送信し、前記場内端末は、該クレジット貸与要求情報の受信に応じて、該クレジット貸与要求情報に含まれる会員遊技者特定情報と対応付けて登録されているクレジット使用可否情報に基づいてクレジットによる遊技媒体の貸与を許容するか否かを特定すると共に、該特定結果に基づいて前記貸与を許容するか否かを示す情報を前記遊技媒体貸与処理装置に対して送信し、前記遊技媒体貸与処理装置は、該貸与を許容する旨の情報の受信に応じて、前記貸与処理を行うと共に、該貸与処理により使用された使用額を示す使用額情報を前記場内端末に対して送信し、前記場内端末は、該使用額情報の受信に応じて、該使用額情報を各会員遊技者毎に管理すると共に、該使用額情報を前記集中管理端末に対して送信し、前記集中管理端末は、該使用額情報を前記クレジットカード会社に対して送信することを特徴とする遊技用システムである。
【０００９】
また請求項２に係る発明は、請求項１に記載した遊技用システムであって、前記場内端末は、前記クレジットカードの使用可能額を各会員遊技者毎に管理し、前記使用額が該使用可能額に達した場合に、前記貸与を許容しない旨の情報を前記遊技媒体貸与処理装置に対して送信し、前記遊技媒体貸与処理装置は、該貸与を許容しない旨の情報を受信した場合には前記貸与処理を行わないことを特徴とする遊技用システムである。
【００１０】
また請求項３に係る発明は、請求項２に記載した遊技用システムであって、前記遊技媒体貸与処理装置は、前記貸与処理を行わない場合にその旨を報知するクレジット貸与不可報知手段を備えることを特徴とする遊技用システムである。
【００１１】
また請求項４に係る発明は、請求項２又は３に記載した遊技用システムであって、前記場内端末は、前記使用可能額に対する残額を示す残額情報を前記遊技媒体貸与処理装置に対して送信し、前記遊技媒体貸与処理装置は、該残額情報に基づいて前記残額を報知する残額報知手段を備えることを特徴とする遊技用システムである。
【００１２】
また請求項５に係る発明は、請求項１〜４のいずれか１つに記載した遊技用システムであって、前記クレジット使用可否情報入手手段は、少なくとも１日１回は各会員遊技者のクレジット使用可否情報を前記クレジット使用可否情報管理端末より入手し、前記クレジット使用可否情報登録手段は、該クレジット使用可否情報入手手段により入手した各会員遊技者のクレジット使用可否情報に基づいて、登録されている各会員遊技者のクレジット使用可否情報を更新することを特徴とする遊技用システムである。
【００１３】
さらに請求項６に係る発明は、請求項１〜５のいずれか１つに記載した遊技用システムであって、前記遊技媒体貸与処理装置は、前記クレジットによる遊技媒体の貸与要求を受け付けるためのクレジット貸与要求操作手段と、前記クレジットによらない遊技媒体の貸与要求を受け付けるための通常貸与要求操作手段と、を備えることを特徴とする遊技用システムである。
【００１４】
【発明の実施の形態】
以下、本発明の実施の形態を、図面を参照して説明する。本発明に係る遊技用システム１は、図１に示すように、遊技場２において、クレジットによる遊技媒体（例えばパチンコ玉）の貸与が可能なものであり、特に会員遊技者特定記録媒体管理機関（ここでは会員カード管理機関３）と各遊技場２との間で導入されている既存の通信インフラを利用することにより、各クレジットカード会社４と会員遊技者特定記録媒体管理機関とを通信可能とするだけで、クレジットによる遊技媒体の貸与を可能とするものである。
【００１５】
この遊技用システム１は、遊技場２に設けられるカードユニット２０と、遊技場２に設けられ、カードユニット２０と通信可能な場内端末３０と、会員カード管理機関３に設けられ、場内端末３０と通信可能である集中管理端末４０と、からなる。なお集中管理端末４０は、クレジット使用可否情報管理端末４ａを備えるクレジットカード会社４とも通信可能である。また遊技用システム１では、図２に示すように、会員カード５とプリペイドカード６が使用される。
【００１６】
ここで遊技場２は、遊技用システム１に予め登録されている登録遊技場である。なお遊技場２の数は、ここではＡ〜Ｃの３つであるが、その数は特に限定されない。また遊技場Ａ〜Ｃは略同様であるため、以下においては遊技場Ａについて説明する。また会員カード管理機関３は会員遊技者特定記録媒体管理機関の一例であって、会員カード５を発行するための処理を行う機関であり、ここではプリペイドカード６の発行や該プリペイドカード６の使用額の管理も行うプリペイドカード会社である。この会員カード管理機関３と遊技場２との間には、会員カード５の発行やプリペイドカード６の使用額の管理を行うために、既に通信インフラが導入されている。
【００１７】
クレジットカード会社４は、クレジットカードの発行や該クレジットカードの使用額の管理を行う会社であり、クレジットカードの使用の可否を示すクレジット使用可否情報の管理及び提供を行うクレジット使用可否情報管理端末４ａを備えている。このクレジット使用可否情報管理端末４ａは、クレジットカードを識別可能なクレジットカード識別情報であるクレジットカード番号と対応付けて、該クレジットカードの１ヶ月当りの使用限度額，該クレジットカードの現在の使用額，該クレジットカードの現在の使用可能額（即ち使用限度額−使用額），及びクレジット使用可否情報を管理しており、要求に応じてそれらの情報の提供を行う。ここでクレジット使用可否情報とは、いわゆるブラックリストに掲載されているか否かの情報であり、該ブラックリストに掲載されていればクレジットカードの使用が不能である旨が記録され、該ブラックリストに掲載されていなければクレジットカードの使用が可能である旨が記録される。なおクレジットカード会社４の数は、ここではＸ〜Ｚの３つであるが、その数は特に限定されない。またクレジットカード会社Ｘ〜Ｚは略同様であるため、以下においてはクレジットカード会社Ｘについて説明する。
【００１８】
以下、本発明に係る遊技用システム１の構成を、図１〜図４を参照して説明する。なお、以下においては、リーダ／ライタを「Ｒ／Ｗ」と略記する。
【００１９】
会員カード５は会員遊技者特定記録媒体の一例であって、会員登録を行った会員遊技者を特定可能な会員遊技者特定情報（ここでは会員ＩＤ）が記録されたものである。この会員カード５は、遊技場２において会員登録が行われ、会員カード管理機関３において会員登録情報（例えば遊技者の氏名，住所，生年月日，電話番号，電子メールアドレス等）が登録された際に、該会員カード管理機関３から会員遊技者に対して発行され、図２（ｂ）に示すように、該会員遊技者によりカードユニット２０に挿入されて使用される。
【００２０】
プリペイドカード６は遊技用記録媒体の一例であって、遊技に使用可能な遊技用価値の大きさを特定可能な情報（ここでは残度数）が記録されたものである。このプリペイドカード６は、会員カード管理機関３において発行され、遊技場２に備えられるプリペイドカード販売機（図示外）にセットされて販売され、図２（ｂ）に示すように、遊技者によりカードユニット２０に挿入されて使用される。
【００２１】
これら会員カード５及びプリペイドカード６は、例えば長方形状を呈するプラスチック製の薄板における所定の部位に、会員ＩＤ又は残度数が記録された記録領域が形成されてなるものであり、ここでは該記録領域として不揮発性のＥＥＰＲＯＭを備える非接触式の集積回路を搭載したＩＣカードである。
【００２２】
カードユニット２０は遊技媒体貸与処理装置の一例であって、遊技に使用可能な遊技媒体を貸与するための貸与処理を行うものであり、ここでは図２に示すように、該カードユニット２０に対応して設けられるパチンコ機１０での遊技に使用可能なパチンコ玉を貸与するための玉貸処理を行うものである。ここでパチンコ機１０は遊技機の一例であって、カードユニット２０と通信可能に接続され、該カードユニット２０との間でパチンコ玉の貸与に関する信号のやり取りが行われてパチンコ玉が貸与される、いわゆるＣＲ式のパチンコ機１０である。これらパチンコ機１０及びカードユニット２０は、遊技場２内の遊技島に並列して設けられている。
【００２３】
このパチンコ機１０の前面には、図２（ａ）に示すように、複数の入賞口（例えば始動入賞口，大入賞口，一般入賞口等）や複数種類の識別情報を可変表示可能な可変表示装置等を有する遊技領域，パチンコ玉を該遊技領域に打ち込む操作を受け付けるための発射ハンドル，後述する玉払出装置１３から払い出されるパチンコ玉を貯留するための上皿，該上皿内に貯留しきれない余剰のパチンコ玉を貯留するための下皿等が設けられている。
【００２４】
この上皿の前面には、後述するプリペイドカードＲ／Ｗ２３にて受け付けられているプリペイドカード６の記録情報から特定される残度数を表示するための残度数表示器１４，該残度数を使用したパチンコ玉の貸与要求を受け付けるための通常玉貸ボタン１５，及び該プリペイドカード６の返却要求を受け付けるためのプリペイドカード返却ボタン１６が設けられている。ここで通常玉貸ボタン１５は通常貸与要求操作手段の一例であって、クレジットによらない遊技媒体の貸与要求を受け付けるためのものである。
【００２５】
またパチンコ機１０の背面には、図２（ｂ）に示すように、遊技状態を制御するための遊技制御基板１１，玉払出装置１３を制御するための玉払出制御基板１２，及び貸与されたパチンコ玉や賞球として付与されるパチンコ玉を払い出すための玉払出装置１３等が設けられている。これらパチンコ機１０に設けられる各機器は、図２（ｂ）に示すように接続されている。
【００２６】
カードユニット２０は、パチンコ機１０に対応して（ここではパチンコ機１０の左側に隣接して）設けられ、縦長の箱型の形状を呈するものである。このカードユニット２０の前面には、図２（ａ）に示すように、会員カード挿入排出口２４ａ，会員カード返却ボタン２４ｂ，クレジット玉貸不可報知ランプ２７，残額表示器２６，テンキー２５，クレジット玉貸ボタン２８，及びプリペイドカード挿入排出口２３ａ等が設けられている。またカードユニット２０の内部には、図２（ｂ）に示すように、場内端末用通信部２１ａ，玉貸通信部２１ｂ，制御部２２，プリペイドカードＲ／Ｗ２３，及び会員カードＲ／Ｗ２４等が設けられている。これらカードユニット２０に設けられる各機器は、図２（ｂ）に示すように接続されている。
【００２７】
場内端末用通信部２１ａは、図示しない台端末や中継コンピュータを介して場内端末３０の後述するカードユニット用通信部３１ａと通信可能に接続されており、場内端末３０とカードユニット２０との間における通信を司るものである。玉貸通信部２１ｂは、パチンコ機１０の玉払出制御基板１２と通信可能に接続されており、これにより、パチンコ機１０とカードユニット２０との間でパチンコ玉の貸与に関する信号のやり取りが行われる。制御部２２は、ＣＰＵ，ＲＡＭ，及びＲＯＭ等を備え、ＲＯＭに記憶されている処理プログラムがＲＡＭを作業領域としてＣＰＵで実行されることにより、カードユニット２０に設けられる各構成要素の動作を制御して各種の処理を行うものである。
【００２８】
プリペイドカードＲ／Ｗ２３は、プリペイドカード挿入排出口２３ａから挿入されたプリペイドカード６を受け付けて、該プリペイドカード６の記録情報を読み書きするためのものである。会員カードＲ／Ｗ２４は、会員カード挿入排出口２４ａから挿入された会員カード５を受け付けて、該会員カード５の記録情報を読み書きするためのものである。会員カード返却ボタン２４ｂは、会員カードＲ／Ｗ２４にて受け付けられている会員カード５の返却要求を受け付けるためのものである。
【００２９】
テンキー２５は、会員カードＲ／Ｗ２４にて会員カード５が受け付けられた際に、暗証番号の入力を受け付けるためのものである。残額表示器２６は残額報知手段の一例であって、クレジットカードの使用可能額に対する残額を表示するためのものであり、例えば４桁の７セグメント表示器である。クレジット玉貸不可報知ランプ２７はクレジット貸与不可報知手段の一例であって、クレジットによる遊技媒体の貸与処理を行わない場合にその旨を報知するためのものである。クレジット玉貸ボタン２８はクレジット貸与要求操作手段の一例であって、クレジットによる遊技媒体の貸与要求を受け付けるためのものであり、ここではクレジットによる遊技媒体の貸与が許容されている場合に発光して、該クレジット玉貸ボタン２８が有効化されるように構成されている。
【００３０】
以上に説明したカードユニット２０において、クレジットによらない遊技媒体の貸与処理が行われる場合には、以下のようにしてパチンコ玉が貸与される。まず遊技者によりプリペイドカード６がプリペイドカード挿入排出口２３ａから挿入されて該プリペイドカード６がプリペイドカードＲ／Ｗ２３にて受け付けられると、該プリペイドカード６の記録情報がプリペイドカードＲ／Ｗ２３により読み取られ、該読み取られた記録情報から特定される残度数が制御部２２のＲＡＭに記憶されると共に残度数表示器１４に表示される。次に遊技者により通常玉貸ボタン１５が操作されてクレジットによらない遊技媒体の貸与要求が受け付けられると、カードユニット２０とパチンコ機１０との間でパチンコ玉の貸与に関する信号のやり取りが行われて、所定度数（例えば５度数）分のパチンコ玉が玉払出装置１３から払い出されてパチンコ玉が貸与される。そして該貸与に使用された残度数が制御部２２のＲＡＭに記憶されている残度数及び残度数表示器１４に表示されている残度数から減算更新されると共に、該貸与に使用された残度数に相当する使用額（例えば５００円）を示す使用額情報が場内端末３０に対して送信される。なお遊技者によりプリペイドカード返却ボタン１６が操作されてプリペイドカード６の返却要求が受け付けられると、制御部２２のＲＡＭに記憶されている残度数がプリペイドカードＲ／Ｗ２３によりプリペイドカード６に対して書き込まれ、該プリペイドカード６がプリペイドカード挿入排出口２３ａから排出される。このように、遊技用システム１では、クレジットによる遊技媒体の貸与以外に、クレジットによらない通常の遊技媒体の貸与が可能である。なおカードユニット２０において、クレジットによる遊技媒体の貸与処理が行われる場合については後述する。
【００３１】
場内端末３０は、前述の如く遊技場２の所定箇所（例えば管理事務所等）に設けられ、図１に示すように接続されるカードユニット用通信部３１ａ，集中管理端末用通信部３１ｂ，制御部３２，及びハードディスク３３等を備えている。
【００３２】
カードユニット用通信部３１ａは、複数のカードユニット２０の場内端末用通信部２１ａと通信可能に接続されており、該複数のカードユニット２０と場内端末３０との間における通信を司るものである。集中管理端末用通信部３１ｂは、集中管理端末４０の後述する場内端末用通信部４１ａと通信可能に接続されており、集中管理端末４０と場内端末３０との間における通信を司るものである。制御部３２は、ＣＰＵ，ＲＡＭ，及びＲＯＭ等を備え、ＲＯＭに記憶されている処理プログラムがＲＡＭを作業領域としてＣＰＵで実行されることにより、場内端末３０に設けられる各構成要素の動作を制御して各種の処理を行うものである。
【００３３】
ハードディスク３３はクレジット使用可否情報登録手段の一例であって、後述する場内端末用通信部４１ａから送信されてきたクレジット使用可否情報を各会員ＩＤと対応付けて登録するものであり、ここでは後述するクレジットカード会社用通信部４１ｂにより少なくとも１日１回入手した各会員遊技者のクレジット使用可否情報に基づいて、登録されている各会員遊技者のクレジット使用可否情報を更新するものである。さらにハードディスク３３は、後述する使用可能額，使用額，及び残額を各会員遊技者毎に管理するものである。
【００３４】
このハードディスク３３には、図３に示すように、日付毎にデータテーブルが設けられており、各データテーブルには、会員ＩＤ及び暗証番号と対応付けて、該会員ＩＤから特定される会員遊技者が所持しているクレジットカードのクレジット使用可否情報と、該クレジットカードの使用可能額と、該クレジットによる遊技媒体の貸与処理に使用された使用額と、使用可能額−使用額の式で算出される残額の記憶欄が設けられている。
【００３５】
ここでクレジット使用可否情報の記憶欄には、遊技場２の営業開始前においてクレジットカード会社用通信部４１ｂにより各会員遊技者のクレジット使用可否情報が入手された場合に、各会員遊技者のクレジット使用可否情報が集中管理端末４０から該当する場内端末３０に対して送信され、該送信されてきたクレジット使用可否情報に基づいて既に登録されている各会員遊技者のクレジット使用可否情報が更新登録される。また使用可能額の記憶欄には、遊技場２の営業開始前においてクレジットカード会社用通信部４１ｂにより各会員遊技者の使用可能額が入手された場合に、各会員遊技者の使用可能額が集中管理端末４０から該当する場内端末３０に対して送信され、該送信されてきた使用可能額に基づいて既に登録されている各会員遊技者の使用可能額が更新登録される。また使用額の記憶欄には、各カードユニット２０から使用額情報が送信されてきた場合に、該送信されてきた使用額情報から特定される使用額が既に登録されている使用額に加算されて更新登録される。さらに残額の記憶欄には、使用可能額−使用額の式で算出された残額が更新登録される。
【００３６】
集中管理端末４０は、前述の如く会員カード管理機関３に設けられ、図１に示すように接続される場内端末用通信部４１ａ，クレジットカード会社用通信部４１ｂ，制御部４２，及びハードディスク４３等を備えている。
【００３７】
場内端末用通信部４１ａは、各遊技場に設けられる複数の場内端末３０の集中管理端末用通信部３１ｂと通信可能に接続されており、該複数の場内端末３０と集中管理端末４０との間における通信を司るものである。この場内端末用通信部４１ａはクレジット使用可否情報送信手段の一例であって、クレジットカード会社用通信部４１ｂにより入手した各会員遊技者のクレジット使用可否情報を該当する登録遊技場の場内端末３０に対して送信するものである。
【００３８】
クレジットカード会社用通信部４１ｂは、複数のクレジットカード会社４のクレジット使用可否情報管理端末４ａと通信可能に接続されており、該複数のクレジットカード会社と集中管理端末４０との間における通信を司るものである。このクレジットカード会社用通信部４１ｂはクレジット使用可否情報入手手段の一例であって、各会員遊技者のクレジット使用可否情報をクレジット使用可否情報管理端末４ａより入手するものである。このクレジット使用可否情報入手手段として機能するクレジットカード会社用通信部４１ｂは、少なくとも１日１回は各会員遊技者のクレジット使用可否情報をクレジット使用可否情報管理端末４ａより入手し、ここでは各遊技場２の営業開始前に各会員遊技者のクレジット使用可否情報をクレジット使用可否情報管理端末４ａより入手する。またクレジットカード会社用通信部４１ｂは、各会員遊技者のクレジット使用可否情報と共に各会員遊技者の使用可能額も入手する。
【００３９】
制御部４２は、ＣＰＵ，ＲＡＭ，及びＲＯＭ等を備え、ＲＯＭに記憶されている処理プログラムがＲＡＭを作業領域としてＣＰＵで実行されることにより、集中管理端末４０に設けられる各構成要素の動作を制御して各種の処理を行うものである。
【００４０】
ハードディスク４３は会員情報登録手段の一例であって、各会員遊技者が所有しているクレジットカードを識別可能なクレジットカード識別情報（ここではクレジットカード番号）を各会員遊技者特定情報（ここでは会員ＩＤ）と対応付けて各登録遊技場毎に登録するものである。このハードディスク４３には、図４に示すように、各遊技場２毎にデータテーブルが設けられており、各データテーブルには、会員ＩＤ及び暗証番号と対応付けて、該会員ＩＤから特定される会員遊技者が所持しているクレジットカードのクレジットカード会社４及びクレジットカード番号の記憶欄が設けられている。ここでクレジットカード会社４及びクレジットカード番号の記憶欄には、会員遊技者からクレジットによる遊技媒体の貸与を希望する旨の申し出があり、該会員遊技者が所有しているクレジットカードの認証が取れた場合に、該クレジットカードのクレジットカード会社４及びクレジットカード番号が登録される。
【００４１】
以上に説明した本発明に係る遊技用システム１において、クレジットによる遊技媒体の貸与処理が行われる場合の作用を、図５を参照して説明する。まず遊技用システム１では、集中管理端末４０において、会員遊技者からクレジットによる遊技媒体の貸与を希望する旨の申し出があり、該会員遊技者が所有しているクレジットカードの認証が取れると、該クレジットカードのクレジットカード会社４及びクレジットカード番号が会員ＩＤと対応付けて図３に示すようにハードディスク４３に登録される（Ｓ０）。
【００４２】
次に遊技場２の毎日の営業開始前に、集中管理端末４０において、クレジットカード会社用通信部４１ｂにより各会員遊技者のクレジット使用可否情報及び使用可能額がクレジット使用可否情報管理端末４ａから入手されると（Ｓ１）、該入手されたクレジット使用可否情報及び使用可能額が、集中管理端末４０から該当する登録遊技場の各場内端末３０に対して送信され（Ｓ２）、各場内端末３０において、該クレジット使用可否情報及び使用可能額が図４に示すようにハードディスク４３に更新登録される（Ｓ３）。このように、遊技用システム１では、少なくとも１日１回はクレジット使用可否情報が更新されるので、いわゆるブラックリストに掲載されている会員遊技者に対する貸与の許容を早めに抑止できる。
【００４３】
次に遊技場２の営業中に、カードユニット２０において、会員カードＲ／Ｗ２４により会員カード５が受け付けられ、テンキー２５により暗証番号の入力が受け付けられると（Ｓ１１）、該受け付けられた会員カード５から読み取られた会員ＩＤ及び該入力された暗証番号が、カードユニット２０から場内端末３０に対して送信される（Ｓ１２）。
【００４４】
そして場内端末３０において、ハードディスク３３の登録情報に基づいて、該会員ＩＤ及び暗証番号の照合が行われ（Ｓ１３）、照合結果が正常ならば、該会員ＩＤに対応する残額がハードディスク４３の登録情報から抽出され（Ｓ１４）、該抽出された残額が無いならばクレジット玉貸を許容しない旨を示す情報，該抽出された残額が有るならば該残額を示す残額情報が、場内端末３０からカードユニット２０に対して送信される（Ｓ１５）。なお照合結果が異常ならば、クレジット玉貸を許容しない旨を示す情報が、場内端末３０からカードユニット２０に対して送信される。
【００４５】
そしてカードユニット２０において、クレジット玉貸を許容しない旨を示す情報を受信したならば、クレジット玉貸不可報知ランプ２７が点灯される（Ｓ１６）。一方、カードユニット２０において、残額情報を受信したならば、該残額情報から特定される残額が残額表示器２６に表示されると共に、クレジット玉貸ボタン２８が発光して有効化される（Ｓ１６）。このように、遊技用システム１によれば、カードユニット２０において、使用可能額に対する残額が報知されるので、遊技者が該残額を確認できる。
【００４６】
次にカードユニット２０において、有効化されているクレジット玉貸ボタン２８が操作されると（Ｓ１７）、会員カード５を受け付けている状態においてクレジットによる遊技媒体の貸与要求が有ったとして、該会員カード５に記録されている会員ＩＤ及び玉貸に使用される所定度数（例えば５度数）に相当する使用額（例えば５００円）を示す使用額情報を含むクレジット貸与要求情報が、カードユニット２０から場内端末３０に対して送信される（Ｓ１８）。
【００４７】
そして場内端末３０において、該クレジット貸与要求情報の受信に応じて、クレジットによる遊技媒体の貸与を許容するか否かが特定される（Ｓ１９）。具体的には、クレジット使用可否情報が「否」である場合には、クレジット玉貸を許容しないと特定される。一方、クレジット使用可否情報が「可」である場合には、クレジット玉貸を許容すると特定される。また使用額が使用可能額に達している場合（即ち残額が無い場合）にも、クレジット貸与を許容しないと特定される。このように、遊技用システム１では、使用額が使用可能額に達した場合には、クレジットによる遊技媒体の貸与が許容されないので、いわゆるのめり込みに歯止めをかけることができる。そしてクレジット玉貸を許容しないと特定されたならばクレジット玉貸を許容しない旨を示す情報，クレジット玉貸を許容すると特定されたならばクレジット玉貸を許容する旨を示す情報が、場内端末３０からカードユニット２０に対して送信される（Ｓ２０）。
【００４８】
そしてカードユニット２０において、クレジット玉貸を許容しない旨を示す情報を受信したならば、クレジット玉貸不可報知ランプ２７が点灯されると共に、クレジット玉貸ボタン２８が消灯して無効化される（Ｓ２１）。このように、遊技用システム１では、クレジットによる遊技媒体の貸与処理が行われない場合にその旨が報知されるので、遊技者がその旨を確認できる。一方、カードユニット２０において、クレジット玉貸を許容する旨を示す情報を受信したならば、カードユニット２０とパチンコ機１０との間でパチンコ玉の貸与に関する信号のやり取りが行われて、所定度数分のパチンコ玉が玉払出装置１３から払い出されてクレジットによりパチンコ玉が貸与され、該貸与に使用された所定度数に相当する使用額が残額表示器２６に表示されている残額から減算更新される（Ｓ２１）。そして貸与に使用された所定度数に相当する使用額を示す使用額情報が、カードユニット２０から場内端末３０に対して送信される（Ｓ２２）。
【００４９】
そして場内端末３０において、該使用額情報の受信に応じて、該使用額情報から特定される使用額がハードディスク４３に更新登録され（Ｓ２３）、該使用額情報及び会員ＩＤが場内端末３０から集中管理端末４０に対して送信され（Ｓ２４）、該使用額情報及びクレジットカード番号が集中管理端末４０から各クレジットカード会社４に対して送信される（Ｓ２５）。
【００５０】
以上に説明したように、本発明に係る遊技用システム１によれば、各遊技場２と各クレジットカード会社４との間に通信インフラを導入することなく、会員カード管理機関３と各遊技場２との間で導入されている既存の通信インフラを利用することにより、各クレジットカード会社４と会員カード管理機関３とを通信可能とするだけで、クレジットによる遊技媒体の貸与が可能になるので、システムの導入コストを低減できると共に、システムの運用を簡素化できる。また該クレジットの使用の可否に関して遊技場内で確認が取れるので、該クレジットの使用を希望する遊技者を待たせる時間を短縮できると共に、パチンコ機１０の稼働率も向上できる。
【００５１】
以上に説明した実施形態と対応付けて本願の請求項に係る発明を説明すると、以下のとおりである。
【００５２】
まず請求項１に係る発明は、予め登録された登録遊技場（２）に設けられ、遊技に使用可能な遊技媒体（パチンコ玉）を貸与するための貸与処理（玉貸処理）を行う遊技媒体貸与処理装置（カードユニット２０）と、前記登録遊技場に設けられ、前記遊技媒体貸与処理装置と通信可能な場内端末（３０）と、会員登録を行った会員遊技者を特定可能な会員遊技者特定情報（会員ＩＤ）が記録された会員遊技者特定記録媒体（会員カード５）を発行するための処理を行う会員遊技者特定記録媒体管理機関（会員カード管理機関３）に設けられ、前記場内端末と通信可能な集中管理端末（４０）と、からなる遊技用システム（１）であって、前記集中管理端末は、クレジットカードの使用の可否を示すクレジット使用可否情報の管理及び提供を行うクレジット使用可否情報管理端末（４ａ）を備えるクレジットカード会社（４）と通信可能であり、各会員遊技者が所有しているクレジットカードを識別可能なクレジットカード識別情報（クレジットカード番号）を各会員遊技者特定情報と対応付けて前記登録遊技場毎に登録する会員情報登録手段（ハードディスク４３）と、該会員情報登録手段に登録される会員遊技者特定情報から特定される各会員遊技者のクレジット使用可否情報を前記クレジット使用可否情報管理端末より入手するクレジット使用可否情報入手手段（クレジットカード会社用通信部４１ｂ）と、該クレジット使用可否情報入手手段により入手した各会員遊技者のクレジット使用可否情報を該当する登録遊技場の場内端末に対して送信するクレジット使用可否情報送信手段（場内端末用通信部４１ａ）と、を備え、前記場内端末は、前記クレジット使用可否情報送信手段から送信されてきたクレジット使用可否情報を各会員遊技者特定情報と対応付けて登録するクレジット使用可否情報登録手段（ハードディスク３３）を備え、前記遊技媒体貸与処理装置は、前記会員遊技者特定記録媒体を受け付けている状態において、クレジットによる遊技媒体の貸与要求があった場合に、該会員遊技者特定記録媒体に記録されている会員遊技者特定情報を含むクレジット貸与要求情報を前記場内端末に対して送信し、前記場内端末は、該クレジット貸与要求情報の受信に応じて、該クレジット貸与要求情報に含まれる会員遊技者特定情報と対応付けて登録されているクレジット使用可否情報に基づいてクレジットによる遊技媒体の貸与を許容するか否かを特定すると共に、該特定結果に基づいて前記貸与を許容するか否かを示す情報を前記遊技媒体貸与処理装置に対して送信し、前記遊技媒体貸与処理装置は、該貸与を許容する旨の情報の受信に応じて、前記貸与処理を行うと共に、該貸与処理により使用された使用額を示す使用額情報を前記場内端末に対して送信し、前記場内端末は、該使用額情報の受信に応じて、該使用額情報を各会員遊技者毎に管理すると共に、該使用額情報を前記集中管理端末に対して送信し、前記集中管理端末は、該使用額情報を前記クレジットカード会社に対して送信することを特徴とする遊技用システムである。
【００５３】
また請求項２に係る発明は、請求項１に記載した遊技用システム（１）であって、前記場内端末（３０）は、前記クレジットカードの使用可能額を各会員遊技者毎に管理し、前記使用額が該使用可能額に達した場合に、前記貸与を許容しない旨の情報を前記遊技媒体貸与処理装置（カードユニット２０）に対して送信し、前記遊技媒体貸与処理装置は、該貸与を許容しない旨の情報を受信した場合には前記貸与処理を行わないことを特徴とする遊技用システムである。
【００５４】
また請求項３に係る発明は、請求項２に記載した遊技用システム（１）であって、前記遊技媒体貸与処理装置（カードユニット２０）は、前記貸与処理を行わない場合にその旨を報知するクレジット貸与不可報知手段（クレジット玉貸不可報知ランプ２７）ことを特徴とする遊技用システムである。
【００５５】
また請求項４に係る発明は、請求項２又は３に記載した遊技用システムであって、前記場内端末（３０）は、前記使用可能額に対する残額を示す残額情報を前記遊技媒体貸与処理装置（カードユニット２０）に対して送信し、前記遊技媒体貸与処理装置は、該残額情報に基づいて前記残額を報知する残額報知手段（残額表示器２６）を備えることを特徴とする遊技用システムである。
【００５６】
また請求項５に係る発明は、請求項１〜４のいずれか１つに記載した遊技用システム（１）であって、前記クレジット使用可否情報入手手段（クレジットカード会社用通信部４１ｂ）は、少なくとも１日１回は各会員遊技者のクレジット使用可否情報を前記クレジット使用可否情報管理端末（４ａ）より入手し、前記クレジット使用可否情報登録手段（ハードディスク３３）は、該クレジット使用可否情報入手手段により入手した各会員遊技者のクレジット使用可否情報に基づいて、登録されている各会員遊技者のクレジット使用可否情報を更新することを特徴とする遊技用システムである。
【００５７】
さらに請求項６に係る発明は、請求項１〜５のいずれか１つに記載した遊技用システム（１）であって、前記遊技媒体貸与処理装置（カードユニット２０）は、前記クレジットによる遊技媒体の貸与要求を受け付けるためのクレジット貸与要求操作手段（クレジット玉貸ボタン２８）と、前記クレジットによらない遊技媒体の貸与要求を受け付けるための通常貸与要求操作手段（通常玉貸ボタン１５）と、を備えることを特徴とする遊技用システムである。
【００５８】
最後に、本発明に係る遊技用システム１の変形例について説明する。
【００５９】
上記の実施形態では、遊技機が、パチンコ玉が外部に払い出される通常のパチンコ機１０である例について説明したが、これに限らず、該遊技機は、例えばパチンコ玉が指触不能に封入された封入式のパチンコ機，メダルやパチンコ玉が外部に払い出されるスロットマシンやパチロット，メダルが外部に払い出されることなく遊技可能なクレジット式のスロットマシン等であっても良く、さらにはパチンコ玉やメダル等を用いずにデータ等により遊技可能な遊技機，遊技盤やパチンコ玉が画像にて表示される画像式のパチンコ機，リールが画像にて表示される画像式のスロットマシン等であっても良く、その種類や形態は特に限定されない。また遊技機は、ＣＲ式のパチンコ機１０には限られず、いわゆる現金式のパチンコ機であっても良い。
【００６０】
上記の実施形態では、遊技媒体貸与処理装置（カードユニット２０）が、遊技機（パチンコ機１０）との間でパチンコ玉の貸与に関する信号のやり取りを行うことにより貸与処理を行うＣＲユニットである例について説明したが、これに限らず、該遊技媒体貸与処理装置は、自ら玉払出装置を備えて貸与処理を行うものでも良い。また上記の実施形態では、遊技媒体貸与処理装置が、遊技媒体としてパチンコ玉を貸与するための玉貸処理を行うものである例について説明したが、これに限らず、該遊技媒体貸与処理装置は、遊技媒体としてメダルを貸与するためのメダル貸与処理を行うものでも良く、また遊技機が前記封入式のパチンコ機や前記クレジット式のスロットマシンである場合には、それら遊技機での遊技に使用される遊技媒体である得点・持点を加算する処理を行うものでも良い。
【００６１】
上記の実施形態では、遊技媒体貸与処理装置が、遊技機（パチンコ機１０）に対応して設けられるカードユニット２０である例について説明したが、これに限らず、該遊技媒体貸与処理装置は、遊技機に対応せずに、遊技場内の所定の箇所（例えば遊技島の端部）に設けられるものでも良い。
【００６２】
上記の実施形態では、通常貸与要求操作手段（通常玉貸ボタン１５）がパチンコ機１０に設けられて遊技媒体貸与処理装置（カードユニット２０）と通信可能に接続されている例について説明したが、これに限らず、該通常貸与要求操作手段が遊技媒体貸与処理装置に設けられるものでも良い。
【００６３】
上記の実施形態では、クレジット貸与不可報知手段としてクレジット玉貸不可報知ランプ２７を設けた例について説明したが、これに限らず、該クレジット玉貸不可報知ランプ２７を設けずに、クレジット貸与が許容されている場合に発光して有効化され、クレジット貸与が許容されていない場合に消灯して無効化されるクレジット玉貸ボタン２８のみを、クレジット貸与不可報知手段として機能させても良い。即ちクレジット貸与不可報知手段は、クレジットによる貸与処理を行わない場合にその旨を報知するものであれば、その具体的構成は問わない。
【００６４】
上記の実施形態では、既に会員遊技者特定記録媒体（会員カード５）が会員遊技者に対して発行されている状態で、該会員遊技者からクレジットによる遊技媒体の貸与を希望する旨の申し出があり、該会員遊技者が所有しているクレジットカードの認証が取れた場合に、該クレジットカードのクレジットカード会社４とクレジットカード番号が会員情報登録手段（ハードディスク４３）に登録される例について説明したが、これに限らず、会員遊技者特定記録媒体の発行時に会員遊技者が所有しているクレジットカードのクレジットカード会社４とクレジットカード番号を強制的に会員情報登録手段に登録するようにしても良い。
【００６５】
上記の実施形態では、集中管理端末４０を、クレジットカード会社４とを通信可能として、該クレジットカード会社４に設けられるクレジット使用可否情報管理端末４ａからクレジット使用可否情報を入手する例について説明したが、これに限らず、集中管理端末４０を、個人信用情報を管理する個人信用情報管理機関と通信可能として、該個人信用情報管理機関から個人信用情報を入手してクレジット使用可否情報としても良い。
【００６６】
上記の実施形態では、図３に示すように、場内端末３０のクレジット使用可否情報登録手段（ハードディスク３３）において、クレジット使用可否情報，使用可能額，使用額，及び残額が各会員遊技者特定情報（会員ＩＤ）と対応付けて登録される例について説明したが、これらに加えてクレジットカード会社及びクレジットカード番号も登録するようにしても良い。また上記の実施形態では、図４に示すように、集中管理端末４０の会員情報登録手段（ハードディスク４３）において、クレジットカード会社及びクレジットカード番号が各会員遊技者特定情報と対応付けて登録される例について説明したが、これらに加えてクレジット使用可否情報，使用可能額，使用額，及び残額も登録するようにしても良い。
【００６７】
上記の実施形態では、クレジット使用可否情報が遊技場２の毎日の営業開始前に入手される例について説明したが、これに限らず、該クレジット使用可否情報は任意のタイミングで入手されれば良く、また１日１回ではなく１日で複数回入手されても良い。
【００６８】
上記の実施形態では、クレジット貸与要求操作手段（クレジット玉貸ボタン２８）が操作される毎に、場内端末３０において、所定度数（例えば５度数）に相当する額（例えば５００円）を使用したクレジット玉貸を許容するか否かの判断が行われた後に、遊技媒体貸与処理装置（カードユニット２０）において、該所定度数を使用した玉貸処理が行われる例について説明したが、これに限らず、場内端末３０において、会員ＩＤ及び暗証番号の認証が行われた段階で、使用可能額の範囲内における所定額（例えば３０００円）を使用したクレジット玉貸を予め許容しておき、クレジット貸与要求操作手段が操作される毎に、場内端末３０における判断なしで、遊技媒体貸与処理装置において、該クレジット玉貸への使用が予め許容された所定額の範囲内で前記所定度数を使用した玉貸処理が繰り返し行われるようにしても良い。これによれば、クレジット貸与要求操作手段が操作される毎に場内端末３０においてクレジット玉貸を許容するか否かの判断を行う必要がなくなるため、システム全体の処理負担が軽減される。なお前記クレジット玉貸への使用が予め許容された所定額の範囲内で残額が生じた場合には、該残額を特定可能な情報を会員遊技者特定記録媒体（会員カード５）に記録し、該会員遊技者特定記録媒体の記録情報から特定される残額を使用して他の遊技媒体貸与処理装置での玉貸処理を可能にしたり、該会員遊技者特定記録媒体の記録情報から特定される残額を精算できるようにしても良い。
【００６９】
上記の実施形態では、場内端末３０から集中管理端末４０に対する使用額情報の送信，及び集中管理端末４０からクレジットカード会社４に対する使用額情報の送信が、場内端末３０において使用額が更新登録される毎にその都度行われる例について説明したが、これに限らず、該使用額情報の送信は、遊技機（パチンコ機１０）における遊技が終了する毎で行われるようにしても良く、また１時間毎や３時間毎等の所定のタイミングで行われるようにしても良い。
【００７０】
上記の実施形態では、会員遊技者特定記録媒体管理機関（会員カード管理機関３）がプリペイドカード会社である例について説明したが、これに限らず、該会員遊技者特定記録媒体管理機関は会員遊技者特定記録媒体を発行するための処理を行う機関であれば良い。
【００７１】
【発明の効果】
本発明に係る遊技用システムによれば、以下のような効果を奏する。
【００７２】
まず請求項１に係る遊技用システムによれば、各遊技場と各クレジットカード会社との間に通信インフラを導入することなく、会員遊技者特定記録媒体管理機関と各遊技場との間で導入されている既存の通信インフラを利用することにより、各クレジットカード会社と会員遊技者特定記録媒体管理機関とを通信可能とするだけで、クレジットによる遊技媒体の貸与が可能になるので、システムの導入コストを低減できると共に、システムの運用を簡素化できる。また該クレジットの使用の可否に関して遊技場内で確認が取れるので、該クレジットの使用を希望する遊技者を待たせる時間を短縮できると共に、遊技機の稼働率も向上できる。
【００７３】
また請求項２に係る遊技用システムによれば、使用額が使用可能額に達した場合には、クレジットによる遊技媒体の貸与が許容されないので、いわゆるのめり込みに歯止めをかけることができる。
【００７４】
また請求項３に係る遊技用システムによれば、遊技媒体貸与処理装置において、クレジットによる遊技媒体の貸与処理が行われない場合にその旨が報知されるので、遊技者がその旨を確認できる。
【００７５】
また請求項４に係る遊技用システムによれば、遊技媒体貸与処理装置において、使用可能額に対する残額が報知されるので、遊技者が該残額を確認できる。
【００７６】
また請求項５に係る遊技用システムによれば、少なくとも１日１回はクレジット使用可否情報が更新されるので、いわゆるブラックリストに掲載されている会員遊技者に対する貸与の許容を早めに抑止できる。
【００７７】
さらに請求項６に係る遊技用システムによれば、クレジットによる遊技媒体の貸与以外に、クレジットによらない通常の遊技媒体の貸与が可能となる。
【図面の簡単な説明】
【図１】図１は遊技用システムの構成の一例を表す機能ブロック図である。
【図２】図２（ａ）はパチンコ機及びカードユニットの一例を表す正面図であり、図２（ｂ）は同機能ブロック図である。
【図３】図３は各遊技場に設けられる場内端末のハードディスクに登録されるクレジット使用可否情報，使用可能額情報，及び使用額情報の一例を表す図であり、（ａ）は遊技場Ａ，（ｂ）は遊技場Ｂ，（ｃ）は遊技場Ｃである。
【図４】図４は会員カード管理機関に設けられる集中管理端末のハードディスクに登録遊技場毎に登録されるクレジットカード会社，及びクレジットカード番号の一例を表す図である。
【図５】図５は遊技用システムの作用の一例を表す図である。
【符号の説明】
１…遊技用システム
２…遊技場
３…会員カード管理機関
４…クレジットカード会社
４ａ…クレジット使用可否情報管理端末
５…会員カード
１５…通常玉貸ボタン
２０…カードユニット
２６…残額表示器
２７…クレジット玉貸不可報知ランプ
２８…クレジット玉貸ボタン
３０…場内端末
３３…ハードディスク
４０…集中管理端末
４１ａ…場内端末用通信部
４１ｂ…クレジットカード会社用通信部
４３…ハードディスク
【図１】
2004321425.tif 000003
【図２】
2004321425.tif 000004
【図３】
2004321425.tif 000005
【図４】
2004321425.tif 000006
【図５】
2004321425.tif 000007